(57)【要約】 【課題】携帯内視鏡本体から取り外した際に、転がりにくい携帯型内視鏡のバッテリ型光源装置を提供する。【解決手段】携帯型内視鏡は、バッテリ１１と、バッテリ１１による電力供給で発光する照明部１３とを有する光源装置１０を備える。光源装置１０が脱着可能で、且つ照明部１３からの光を導光して、観察部位に照射し、観察部位に照射した光の反射光を接眼レンズを介して観察可能な状態で導光する携帯内視鏡本体を備える。光源装置１０は、照明部１３の光軸方向から見て、バッテリ１１が有る側が、バッテリ１１の有る側と反対側に比べて重く、バッテリ１１が有る側に重心が偏る。【選択図】図２
2008259680.tif 000002
【特許請求の範囲】
【請求項１】
バッテリと、前記バッテリによる電力供給で発光する照明部とを有する光源装置と、
前記光源装置が脱着可能で、且つ前記照明部からの光を導光して、観察部位に照射し、前記観察部位に照射した光の反射光を接眼レンズを介して観察可能な状態で導光する携帯内視鏡本体とを備え、
前記光源装置は、前記照明部の光軸方向から見て、前記バッテリが有る側が、前記バッテリの有る側と反対側に比べて重く、前記バッテリが有る側に重心が偏ることを特徴とする携帯型内視鏡。
【請求項２】
前記光源装置は、前記バッテリのバッテリ残量が少なくなった場合にバッテリ切れの警告表示を行う警告表示部を有し、前記警告表示部は、前記照明部の光軸方向から見て前記バッテリが有る側と反対側に配置されることを特徴とする請求項１に記載の携帯型内視鏡。
【請求項３】
前記光源装置は、ウェイトを有し、前記ウェイトは、前記照明部の光軸方向から見て前記バッテリが有る側に配置され、前記ウェイトと前記バッテリとによって前記光源装置が前記バッテリが有る側に重心が偏ることを特徴とする請求項１に記載の携帯型内視鏡。
【請求項４】
バッテリと、
前記バッテリによる電力供給で発光する照明部とを備え、
前記照明部からの光を導光して、観察部位に照射し、前記観察部位に照射した光の反射光を接眼レンズを介して観察可能な状態で導光する携帯内視鏡本体から脱着可能であり、
前記照明部の光軸方向から見て前記バッテリが有る側が、前記バッテリの有る側と反対側に比べて重く、前記バッテリが有る側に重心が偏ることを特徴とする携帯型内視鏡の光源装置。
【発明の詳細な説明】
【技術分野】
【０００１】
本発明は、携帯型内視鏡の光源装置に関する。
【背景技術】
【０００２】
従来、バッテリからの電力供給で発光するバッテリ型光源装置と、バッテリ型光源装置からの光を観察部位に照射し、観察部位からの反射光を観察可能な携帯内視鏡本体とを備える携帯型内視鏡が提案されている。
【０００３】
特許文献１は、円筒形状を有し携帯内視鏡本体と着脱可能なバッテリ型光源装置を備える携帯型内視鏡を開示する。
【特許文献１】特開２０００−２９２７１１号公報
【発明の開示】
【発明が解決しようとする課題】
【０００４】
しかし、特許文献１の装置は、バッテリ型光源装置は、携帯内視鏡本体から取り外して、机上などの水平面上に置いた場合に、転がりやすく、机上から転がり落ちて破損するおそれがある。
【０００５】
したがって本発明の目的は、携帯内視鏡本体から取り外した際に、転がりにくい携帯型内視鏡のバッテリ型光源装置を提供することである。
【課題を解決するための手段】
【０００６】
本発明に係る携帯型内視鏡は、バッテリと、バッテリによる電力供給で発光する照明部とを有する光源装置と、光源装置が脱着可能で、且つ照明部からの光を導光して、観察部位に照射し、観察部位に照射した光の反射光を接眼レンズを介して観察可能な状態で導光する携帯内視鏡本体とを備え、光源装置は、照明部の光軸方向から見て、バッテリが有る側が、バッテリの有る側と反対側に比べて重く、バッテリが有る側に重心が偏る。
【０００７】
好ましくは、光源装置は、バッテリのバッテリ残量が少なくなった場合にバッテリ切れの警告表示を行う警告表示部を有し、警告表示部は、照明部の光軸方向から見てバッテリが有る側と反対側に配置される。
【０００８】
また、好ましくは、光源装置は、ウェイトを有し、ウェイトは、照明部の光軸方向から見てバッテリが有る側に配置され、ウェイトとバッテリとによって光源装置がバッテリが有る側に重心が偏る。
【０００９】
本発明に係る携帯型内視鏡の光源装置は、バッテリと、バッテリによる電力供給で発光する照明部とを備え、照明部からの光を導光して、観察部位に照射し、観察部位に照射した光の反射光を接眼レンズを介して観察可能な状態で導光する携帯内視鏡本体から脱着可能であり、照明部の光軸方向から見てバッテリが有る側が、バッテリの有る側と反対側に比べて重く、バッテリが有る側に重心が偏る。
【発明の効果】
【００１０】
以上のように本発明によれば、携帯内視鏡本体から取り外した際に、転がりにくい携帯型内視鏡のバッテリ型光源装置を提供することができる。
【発明を実施するための最良の形態】
【００１１】
以下、本実施形態について、図を用いて説明する。本実施形態に係る携帯型内視鏡１は、光源装置１０と、携帯内視鏡本体として把持部２０と、挿入部３０と、湾曲部４０と、接眼部５０とを備える（図１参照）。
【００１２】
光源装置１０は、バッテリ１１を使った電力供給により照明部１３で発光した光を、集光レンズ１４、把持部２０、挿入部３０、及び湾曲部４０のライトガイドを介して、湾曲部４０の先端に対向する部分（観察部位）に供給する。
【００１３】
把持部２０は、施術者が手で保持しながら各種操作を行う部分である。挿入部３０は、患者の体内に挿入される可撓管である。湾曲部４０は、先端が観察部位に対向できるように把持部２０の操作により湾曲可能な形状を有する。挿入部３０、及び湾曲部４０は、光源装置１０から供給された光を観察部位に導光するライトガイド、及び観察部位の反射光を導光するイメージガイドとを有する（不図示）。
【００１４】
接眼部５０は、接眼レンズを有し、湾曲部４０から観察部位に照射された光の反射光が導光されて得られた被写体像が接眼レンズを介して観察可能である。
【００１５】
光源装置１０は、把持部２０と脱着可能である。光源装置１０は、バッテリ１１、ウェイト１２、バッテリ１１の電力供給により発光するランプまたはＬＥＤなどの照明部１３、照明部１３で発光した光を集光する集光レンズ１４、照明部１３及び警告表示部１６を駆動する回路基板１５、及びバッテリ残量が少なくなった場合にバッテリ切れの警告表示を行う警告表示部（ＬＥＤ）１６とを有する。
【００１６】
光源装置１０は、面上を転がる形状（例えば、円筒形状や円錐台形状）を有し、照明部１３の光軸方向から見て、警告表示部１６及び回路基板１５を同じ側に配置（例えば鉛直方向上側）し、バッテリ１１及びウェイト１２を同じ側で且つ警告表示部１６と反対側に配置（例えば鉛直方向下型）する（図２、図３参照）。光源装置１０は、照明部１３、及び集光レンズ１４を、把持部２０側に配置する。
【００１７】
ウェイト１２は、照明部１３の光軸方向から見て同じ側に配置されたバッテリ１１と共に、光源装置１０の重心位置を光源装置１０のバッテリ１１が有る側に偏心させる（重心が偏る）ために使用される。従って、光源装置１０のバッテリ１１が有る側の重量は、警告表示部１６が有る側の重量に比べて重く設定される。
【００１８】
本実施形態では、ウェイト１２を使って光源装置１０の重心を偏心させる形態を説明したが、バッテリ１１だけで偏心が可能な場合には、ウェイト１２を使用する必要はない。
【００１９】
本実施形態では、光源装置１０を把持部２０から取り外し、机上などの水平面上に置いた場合に、光源装置１０は偏心しているためバッテリ１１やウェイト１２が鉛直方向下側にある状態で停止して転がり出しにくい。
【００２０】
また、転がりだしたとしても、バッテリ１１やウェイト１２が鉛直方向下側にある状態で止まりやすいため、光源装置１０の重心がほぼ中心にある（偏心しない）場合に比べて、転がりにくく、転がった場合であっても途中で止まり机上からの落下するおそれを少なくすることが可能になる。
【００２１】
また、落下した場合にも、バッテリ１１やウェイト１２が鉛直方向下側に有る状態で落ちるため、側面の照明部１３や集光レンズ１４、及び上面の警告表示部１６や警告表示部１６の窓の損傷の可能性を低くすることが可能になる。
【図面の簡単な説明】
【００２２】
【図１】本実施形態における携帯型内視鏡を示す斜視図である。
【図２】光源装置の内部構造を、照明部の光軸と垂直な側面から見た図である。
【図３】光源装置の内部構造を、照明部の光軸から見た図である。
【符号の説明】
【００２３】
１  携帯型内視鏡
１０  光源装置
１１  バッテリ
１２  ウェイト
１３  照明部
１４  集光レンズ
１５  回路基板
１６  警告表示部
２０  把持部
３０  挿入部
４０  湾曲部
５０  接眼部
【図１】
2008259680.tif 000003
【図２】
2008259680.tif 000004
【図３】
2008259680.tif 000005